(57)【要約】【課題】例えば痛みや血行不良などのような身体のさまざまな不調を改善し、健康な状態にするのに効果的な治療器の提供。【解決手段】手に保持する保持具４を設け、該保持具４内に、人体の皮膚に対して当接する接触子１２，１３を設け、該接触子１２，１３の先端部には、治療のための作用剤を保持する作用剤保持部１２ａ，１３ａを設けて、上記接触子１２，１３には、該接触子１２，１３を加熱するヒータ７、および／または接触子１２，１３に微弱電流を供給する電流供給部を接続した治療器１。【選択図】　　図１
2004008671.tif 000002
【特許請求の範囲】
【請求項１】
手に保持する保持具を設け、
該保持具内に、人体の皮膚に対して当接する接触子を設け、
該接触子の先端部には、治療のための作用剤を保持する作用剤保持部を設けて、上記接触子には、該接触子を加熱するヒータ、および／または接触子に微弱電流を供給する電流供給部を接続した
治療器。
【請求項２】
前記温圧子に報知器を接続するとともに、
該報知器には、温圧子を通して人体に所定値以上の電流が流れたときに上記報知器を作動する報知制御部を接続した
請求項１に記載の治療器。
【請求項３】
前記保持具を、片手で保持可能な大きさに形成した
請求項１または請求項２に記載の治療器。
【請求項４】
前記保持具を、片手で保持可能な大きさに形成して、制御部等を有する本体装置から分離するとともに、
該本体装置を、提げ手を有する収納ケースに収納した
請求項１または請求項２に記載の治療器。
【請求項５】
前記作用剤保持部を、吸水性を有する部材で形成するとともに、
保持する作用剤が、液体のゲルマニウムである
請求項１から請求項４のうちのいずれか一項に記載の治療器。
【発明の詳細な説明】
【０００１】
【発明の属する技術分野】
この発明は、身体のさまざまな不調、例えば痛みや血行不良などを改善し、健康な状態にするのに効果的な治療器に関する。
【０００２】
【従来の技術】
痛みや血行不良などの治療には、例えば温熱療法がある。この温熱療法は、全身や患部を温めることにより、新陳代謝を促進して老廃物を除去し、血液やリンパの流れをよくするためのもので、温浴や罨法などがある。
【０００３】
この治療法は、古くから利用されているが、近年特に、環境汚染、食品添加物、運動不足、ストレス等の要因があって、効果が出にくいことがある。このため、より効果的な治療や改善、健康の方法が常に求められている。
【０００４】
【発明が解決しようとする課題】
そこでこの発明は、不調の要因が複雑に絡み合ったような情況の下でも、簡単に、より高い効果が得られるようにすることを主たる課題とする。
【０００５】
【課題を解決するための手段】
そのための手段は、手に保持する保持具を設け、該保持具内に、人体の皮膚に対して当接する接触子を設け、該接触子の先端部には、治療のための作用剤を保持する作用剤保持部を設けて、上記接触子には、該接触子を加熱するヒータ、および／または接触子に微弱電流を供給する電流供給部を接続した治療器であることを特徴とする。
【０００６】
上記作用剤は、固体でも液体でよく、固体の場合には接触子の先端部に、その作用剤を取り付け可能な構造を形成することで作用剤保持部が形成される。液体の場合には、接触子の先端部にスポンジや綿などからなる吸水性の部材を取り付けることによって作用剤保持部が形成され、使用に際しては液体の作用剤を染み込ませる。作用剤がゲル状の場合には、作用剤を塗布する面を接触子の先端部に形成して作用剤保持部とすればよい。作用剤には、例えばトルマリンや松鉱石などの鉱物を始め、植物エキスを原料にしたエッセンシャルオイルやローション、温泉水、液体のゲルマニウムなどが利用できる。
【０００７】
使用に際しては、保持具を手に持ち、接触子を人体の患部に当てて、接触子に接続したヒータまたは電流供給部、あるいはこれら双方を駆動して、接触子に熱および／または微弱電流を作用させる。
【０００８】
熱や微弱電流を作用させることで、保持部に保持した作用剤は、素早く浸透したりマイナスイオンを発生したりして、より効果的に人体に作用する。つまり、使用した作用剤の性質に応じた治療、改善、健康の作用を効果的に享受できる。作用剤として例示した上記例のなかでも特に、液体のゲルマニウムを用いると、鎮痛効果、新陳代謝促進効果、血行促進効果、細胞活性化効果等が優れる上に、マイナスイオンもよく発生するので、より好ましい。
【０００９】
なお、素人でも使用が容易であるようにするには、前記温圧子に報知器を接続するとともに、該報知器には、温圧子を通して人体に所定値以上の電流が流れたときに上記報知器を作動する報知制御部を接続するとよい。低抵抗点として知られているツボを容易に検知することができる。すなわち、身体の皮膚表面上を適宜動かしてゆき、報知器が作動したところがツボである。この部分を重点的に治療等することで、確実な効果が得られる。
【００１０】
報知器としては、発光ダイオードなど光で報知する発光手段のほか、例えばブザーや、圧電素子等を用いて構成した信号音発生器など、音で報知する発音手段、またはこれらの組合わせで構成するもよい。発音手段を用いて構成すると、視力障害者でも容易に使用できる。
【００１１】
また、前記保持具を、片手で保持可能な大きさに形成すると操作性がよく、治療等の行為が容易に行える。特に、必要な機器をすべて保持具に組み込んだりしてコンパクトにまとめた場合には、治療等の作業のほか、持ち運び等も容易になる。
【００１２】
具体的には、前記保持具を、片手で保持可能な大きさに形成して、制御部等を有する本体装置から分離するとともに、該本体装置を、提げ手を有する収納ケースに収納するとよい。上述のように操作性がよく、治療等の行為が容易である上に、本体装置も手提げ可能であるので、移動も容易である。このため、取り扱い性がよい上に、必要に応じて様々な場所で治療等の行為を行うことができる。
【００１３】
【発明の効果】
以上のようにこの発明によれば、接触子の先端部に設けた保持部に保持した作用剤の作用を、熱および／または微弱電流によって人体に作用させるので、単に人体に塗布したりする場合に比して効果が高い。
【００１４】
また、作用剤として自然原料からなるものを使用すると、人工の薬剤とは異なって、人体への影響がないのでよい。特に、水溶性有機ゲルマニウムを用いれば、人体へ素早く吸収されて、鎮痛、新陳代謝促進、血行促進、細胞活性化等の効果が得られるとともに、マイナスイオンも発生し、ストレス等の面での改善効果も得られ、身体の体内環境を通常あるべき方向に改めてくれる。
【００１５】
さらに、温浴に必要な身体を浸すための大きな装置や、その装置を作動するための準備は不要である。作用剤を保持した保持具を手に持ち、単に人体に当てて作動させるだけでよい。
【００１６】
このため、従来のように温浴や罨法などでは得られなかったような利便性が得られる他、治療、改善、健康に高い効果を容易に得ることができる。
【００１７】
【発明の実施の形態】
この発明の一実施の形態を、以下図面を用いて説明する。
図１は、治療器１の斜視図であり、この治療器１は、手提げ可能な収納ケース２に収納された本体装置３と、患部に当てるために手で保持する保持具４と、これらを接続する接続コード５とで構成している。
【００１８】
本体装置３は、保持具４を作動させるための各機器を備えている。大きさは、提げ手６を有した収納ケース本体７に小物収納空間８を残して収納可能な大きさであり、上記小物収納空間８には、上記保持具４および接続コード５と、本体装置３から延設した電源コード９を収納する。収納ケース本体７には蓋体１０を枢着しており、蓋体１０を閉じ、止め具１１で止めれば、提げ手６を利用しての持ち運びができる。
【００１９】
上記保持具４は、厚みの厚い円板状で、片手で掴める大きさに形成している。そして４本の温厚子１２，１２，１３，１３を保持し、これら温圧子１２，１２，１３，１３の先端側を下面から突出している。図２がその保持具４の内部構造を示す平面図、図３が縦断面図である。また図４は、保持具４と本体装置３の各部の制御回路ブロック図である。
【００２０】
すなわち保持具４は、有底箱状の本体部４ａと、これの上面開口部を閉塞する蓋部４ｂとからなり、内側面には、適宜厚の断熱材４ｃを保持している。そして本体部４ａの底面に、４本の温圧子１２，１２，１３，１３を略等間隔に四角を描くように配設する。温圧子１２，１２，１３，１３は導電性を有する金属製で、大、中、小、三段階の太さを有する段つきの棒状に形成し、一番太い部分を除く部分に、雄ねじを形成している。温圧子１２，１２，１３，１３を本体部に固定するには、細いほうを先にして本体部４ａに下から差し込んだ温圧子１２，１２，１３，１３における中間の太さの部分に形成した雄ねじにナット１４を締め付けて固定する。
【００２１】
また、一番細い部分の雄ねじにもまたナット１５を締め付けることによって、伝熱板１６を保持する。伝熱板１６は、平面視略長方形状でアルミ等の適宜の材料で形成し、温圧子１２，１２，１３，１３を２本ずつまとめるようにして固定する。そしてこれら伝熱板１６における相対向する縁部には、上記まとめられる温圧子１２，１２と温圧子１３，１３間に設けた棒状のヒータ１７の表面上方、あるいは下方を覆うように断面半円形の受熱部１６ａを形成している。伝熱板１６にはまた、温度センサ１８を設け、上記本体装置３内に設けた温度調節器１９と接続して、適宜設定される温度に調節できるようにしている。温度センサ１８は、例えばサーミスタ等で構成するとよい。
【００２２】
さらに、２本ずつまとめた上記温圧子１２，１２および温圧子１３，１３の、それぞれにおける一方には、微弱電流を供給する電流供給部（図示せず）と接続するためのリード線２０を接続して、一方の温圧子１２をプラス、他方の温圧子１３をマイナスに設定している。上記電流供給部は、図示はしないが、上記本体装置３内に設けた変圧器、整流器、トランジスタ、抵抗器で構成する。
【００２３】
そして上記プラスに設定した温圧子１２には、報知器の一例としての発光ダイオード２１を接続している。発光ダイオード２１は、本体部４ａの周壁に取り付けて、発光状態が外から認識できるようにしている。この発光ダイオード２１からは、上記本体装置３内に設けたツボ検知レベルのボリュームスイッチ２２に接続して、上記マイナスに設定した温圧子１３からの電流が、上記ツボ検知レベルのボリュームスイッチ２２で設定したレベル以上あったときに、発光ダイオード２１が発光するように制御している。ツボ検知レベルのボリュームスイッチ２２は、トランジスタと可変抵抗器を用いて構成する。可変抵抗器はスイッチ付きであるとよい。
【００２４】
上記各部は、本体部４ａの周壁に取り付けたメタルコンセント２３を介して上記接続コード５を接続し、本体装置３と接続する。接続コード５の基端にはプラグ２４を設け、本体装置３に設けたメタルコンセント２５に対して着脱自在である。
【００２５】
なお、上記温圧子１２，１２，１３，１３の先端部には、液体を吸収可能な脱脂綿からなる作用剤保持部１２ａ，１３ａを取り付けるとともに、この保持部１２ａ，１３ａより上側の露出部分には、例えば四フッ化ポリエチレンチューブ等からなる絶縁体１２ｂ，１３ｂを被覆している。
【００２６】
また、図中２６はスイッチで、２７はパイロットランプ、２８は制御回路を搭載した基盤である。
【００２７】
このように構成した治療器１の動作を、図４の制御回路ブロック図を参照して説明する。
【００２８】
電源２９には商用電源を利用し、電源コード９を介して制御部３０に入力された電力を、スイッチ２６のＯＮ操作で各部に供給する。スイッチ２６のＯＮ操作で制御部３０はパイロットランプ２７を点灯し、各機器駆動可能な状態とする。ここで、温度調節器１９およびツボ検知レベルのボリュームスイッチ２２を操作して、所望の作動環境に設定する。
【００２９】
するとヒータ１７が加熱され、伝熱板１６を介して温圧子１２，１２，１３，１３は加熱される。この温度は、温度センサ１８の検知に基づいて一定の温度に制御される。そして、各温圧子１２，１２，１３，１３の先端部の作用剤保持部１２ａ，１３ａに作用剤として有機ゲルマニウム水溶液を含浸させて、身体の不調の部位に当てる。温圧子１２，１２，１３，１３は棒状に形成しているが、４本をそれぞれ略等間隔に配設して構成しているので、人体に当てたときに安定性が良く、移動も容易であり、操作性がよい。
【００３０】
このとき、温圧子１２，１２，１３，１３は、加熱されているうえに、微弱電流が流れる状態にある。熱と微弱電流による刺激により、作用剤が人体に皮膚から作用する。つまり、皮膚呼吸により素早く人体に浸透して、電位差を正常に戻すとともに、新陳代謝や血行を促進して、細胞を活性化させる。同時に、発生するマイナスイオンが、上記電位差の修正等の効果を促進する。
【００３１】
また、微弱電流を流すので、プラスの温圧子１２からマイナスの温圧子１３へ人体を通しての通電が所定値以上になれば、保持具４の発光ダイオード２１が点灯する。これにより、保持具４を当てている部位（温圧子１２，１２，１３，１３が押圧している部位）が、低抵抗点であるツボではあることが分かる。
【００３２】
これにより、ツボの位置がわからない素人にも、発光ダイオード２１の点灯する位置を中心に治療等を行うことができ、作用剤の作用効果をより良く得られる。
【００３３】
以上のように、熱と微弱電流を作用させながら作用剤としての有機ゲルマニウム水溶液を作用させるので、ゲルマニウムの性質を生かして高い効果が得られる。しかも、保持具４を片手に持って人体の皮膚をなでるように当てるだけであるので、作業は容易である。その上、ツボ検知機能を備えているので、効果の高いツボの位置について知識のない素人にとっても作業が効率よく行え、便利である。
【００３４】
さらに治療器１は、操作する部位、すなわち保持具４が片手に持てる大きさであり、装置本体３とは接続コード５で接続している構造であるので、治療等の作業は軽量の保持具４を操作するだけでよいので、容易である。しかも、本体装置３は、収納ケース２に収納しており、提げ手６で持ち運びできる大きさであるので、何処でも治療等ができて便利である。
【００３５】
以上の一実施の形態における温圧子１２，１３は、この発明の接触子に対応し、　発光ダイオード２１は、報知器に対応し、
ツボ検知レベルのボリュームスイッチ２２は、報知制御部に対応し、
脱脂綿は、吸水性を有する部材に対応するも、
この発明は、上述の構成のみに限定されるものではない。
【００３６】
例えば、報知器として、ブザーなど他の手段を採用するもよく、また専門家仕様とする場合などには、ツボ検知機能を備えなくともよい。
【００３７】
また、上述の例では、熱と微弱電流を作用させるようにしたが、何れか一方のみを作用させるように構成するもよい。
【００３８】
さらに、作用剤としては、上述例のような液体のもののほか、例えばトルマリンや松鉱石などのような固体のものを使用することもできる。この場合には作用剤保持部は、作用剤を取り付けるための構造、例えば嵌合のための凹部や凸部などで構成すればよい。
【００３９】
さらにまた、上述の例では温圧子１２，１３（接触子）を棒状に形成して４本設けたが、例えば２本、６本等で構成するもよく、そのほか面で構成するもよい。
【図面の簡単な説明】
【図１】治療器の斜視図。
【図２】保持具の内部構造を示す平面図。
【図３】保持具の縦断面図。
【図４】治療器の制御回路ブロック図。
【符号の説明】
１…治療器
２…収納ケース
３…本体装置
４…保持具
６…提げ手
１２，１３…温圧子
１２ａ，１３ａ…作用剤保持部
１７…ヒータ
２１…発光ダイオード
２２…ツボ検知レベルのボリュームスイッチ
【図１】
2004008671.tif 000003
【図２】
2004008671.tif 000004
【図３】
2004008671.tif 000005
【図４】
2004008671.tif 000006